(57)【要約】【課題】  磁気テープカセットの品種や型が異なる場合でも磁気テープの巻き取りを可能にするテープ巻き取り装置を提供する。【解決手段】  磁気テープＴを供給し、搬送するテープ供給側ユニット１１Ａと、テープ供給側ユニット１１Ａから搬送された磁気テープＴをテープリールＲ０（Ｒ１）に巻き取る巻き取り側ユニット１１Ｂとを備え、テープ供給側ユニット１１Ａに、磁気テープＴを保持し、該磁気テープＴを搬送方向へ供給するテープ供給部１１Ａが設けられ、且つ、巻き取り側ユニット１１Ｂに、磁気テープＴに端止めを行う接合部１５と、テープリールＲ１又は該テープリールＲ０を収納したカセットケースＣ０を保持する保持部１７とが設けられ、巻き取り側ユニット１１Ｂが、テープ供給側ユニット１１Ａに着脱可能である。【選択図】  図１
2005228435.tif 000002
【特許請求の範囲】
【請求項１】
磁気テープを供給し、搬送するテープ供給側ユニットと、前記テープ供給側ユニットから搬送された磁気テープをテープリールに巻き取る巻き取り側ユニットとを備え、
前記テープ供給側ユニットに、前記磁気テープを保持し、該磁気テープを搬送方向へ供給するテープ供給部が設けられ、且つ、
前記巻き取り側ユニットに、前記磁気テープに端止めを行う接合部と、前記テープリール又はテープリールを収納したカセットケースを保持する保持部とが設けられ、
前記巻き取り側ユニットが、前記テープ供給側ユニットに着脱可能であることを特徴とするテープ巻き取り装置。
【発明の詳細な説明】
【技術分野】
【０００１】
本発明は、磁気テープを搬送し、テープリールに巻き取るテープ巻き取り装置に関する。
【背景技術】
【０００２】
従来、磁気テープカセットの製造プロセスにおいて、カセット内に組み込まれたテープリール、又は、カセット組み込む前のテープリールへ磁気テープを巻き付ける巻き取り工程があり、この巻き取り工程ではテープ巻き取り装置（ワインダー）が用いられている（例えば、特許文献１参照）。
【０００３】
図３は、従来のテープ巻き取り装置の構成を示す図である。図３に示すように、従来のテープ巻き取り装置１００は、本体１０１の内部に、磁気テープＴが巻き付けられ、図３において矢印で示す搬送方向に沿って磁気テープを供給するテープ供給部１０２ａ，１０２ｂが取り付けられる構成である。また、テープ巻き取り装置１００は、テープ供給部１０２ａ，１０２ｂから供給される磁気テープＴを切替え部１０３によって切り換えて搬送方向の下流へ搬送する切替え部１０３と、磁気テープＴの張力を調整するテンション制御部１０４と、リーダーテープを切断し、磁気テープＴと接合する等の磁気テープＴの端止めを行う接合部１０５と、磁気テープＴをカセットケースＣ０に組み込まれたテープリールＲ０で巻き取る巻き取り部１０６とを備えている。このテープ巻き取り装置１００では、巻き取り時には、カセットＣ０がカセットホルダ１０７によって保持されている。
【０００４】
【特許文献１】特開２０００−９０６３６号公報
【発明の開示】
【発明が解決しようとする課題】
【０００５】
ところで、磁気テープカセットは、その製品の品種や型によってカセットケース並びにテープリールの形状や寸法が様々であるため、異なる品種や型の磁気テープカセットごとに巻き取り工程において、カセットケースやテープリールを保持する部位や磁気テープカセットに応じて磁気テープ端（エンド）の処理が異なる。このため、これら磁気テープカセットごとに専用のテープ巻き取り装置を設備し、使用することで巻き取り工程を行っていた。
【０００６】
例えば、一部の磁気テープカセットにおいて、図４に示すようにテープリールＲ０を予めカセットＣ０に組み込んだ状態で磁気テープＴを該テープリールＲ０に巻き取る巻き取り工程によって製造されるもの（例えば、ＬＴＯカセットテープ）がある。このような磁気テープカセットは、図３のテープ巻き取り装置１００を使用して巻き取り工程を行うことができるものがあるが、他の磁気テープカセットとして、図５に示すように、テープリールＲ１に磁気テープＴを巻き付けた後に、組み立て工程においてテープリールＲ１をカセットケースＣ１に組み付けて、製造されるもの（例えば、ＳＤＬＴカセットテープ）がある。このような磁気テープカセットの巻き取り工程は、巻き取り時にテープリールＲ１を保持するリール保持部が必要であること、磁気テープＴ端（エンド）の処理が異なることなどの理由から図３のテープ巻き取り装置１００を使用して行うことができなかった。
【０００７】
このように、従来、製造する磁気テープカセットの品種や型の違いに応じた巻き取り装置を使用しており、磁気テープカセットの品種や型を開発した際に、同じ巻き取り装置を使用することができない。このため、この磁気テープカセットに適応するテープ巻き取り装置の設備コストがかかるという点で改善の余地があった。
本発明は、このような事情に鑑みてなされたもので、その目的は、磁気テープカセットの品種や型が異なる場合でも磁気テープの巻き取りを可能にするテープ巻き取り装置を提供することにある。
【課題を解決するための手段】
【０００８】
本発明の上記目的は、磁気テープを供給し、搬送するテープ供給側ユニットと、テープ供給側ユニットから搬送された磁気テープをテープリールに巻き取る巻き取り側ユニットとを備え、テープ供給側ユニットに、前記磁気テープを保持し、該磁気テープを搬送方向へ供給するテープ供給部が設けられ、且つ、巻き取り側ユニットに、磁気テープに端止めを行う接合部と、テープリール又はテープリールを収納したカセットケースを保持する保持部とが設けられ、巻き取り側ユニットが、テープ供給側ユニットに着脱可能であることを特徴とするテープ巻き取り装置によって達成される。
【０００９】
本発明にかかるテープ巻き取り装置は、テープ供給側ユニットにテープ供給部が設けられ、供給側ユニットに接合部と、テープリール又は該テープリールを収納したカセットケースの保持部が設けられている。テープ巻き取り装置は、接合部や保持部が磁気テープカセットの品種や型に適したものであることが必要であるが、磁気テープを供給するテープ供給部の構造は同じである。また、上記テープ巻き取り装置は巻き取り側ユニットと供給側ユニットとが着脱可能な構成であるため、品種や型の異なる磁気テープカセットの巻き取り工程を行う際には、巻き取りする磁気テープカセットの品種や型に適した接合部及び保持部を備えた巻き取り側ユニットを供給側ユニットに装着することで、磁気テープカセットの品種や型にかかわらず該供給側ユニットを使用することができる。このため、磁気テープカセットの品種や型の改良に起因して接合部や保持部の変更があったときには、該磁気テープカセットに適した巻き取り側ユニットのみを変更すればよく、供給側ユニットとしては同じものを使用することができるため、設備コストを削減することができる。
【発明の効果】
【００１０】
本発明によれば、磁気テープカセットの品種や型が異なる場合でも磁気テープの巻き取りを可能にするテープ巻き取り装置を提供できる。
【発明を実施するための最良の形態】
【００１１】
以下、本発明の実施形態を図面に基づいて詳しく説明する。
図１は、本発明にかかるテープ巻き取り装置の一実施形態を示す図である。テープ巻き取り装置１０は、所定の幅を有する長尺の磁気テープＴを送り出し軸ｓ１と送り出し軸ｓ２とにそれぞれ巻回させて保持するテープ供給部１２ａ，１２ｂを備えている。
【００１２】
テープ巻き取り装置１０は、図１の矢印で示す磁気テープＴの搬送方向に沿って、順に、テープ供給部１２ａ，１２ｂの下流側に設けられた切替え部１３と、搬送される磁気テープＴにかかる張力を制御するテンション制御部１４と、リーダーテープを切断して、切断された磁気テープの端部同士を接合する接合部１５と、カセットケースＣ０に収容保持されたテープリールＲ０に磁気テープを巻き取る巻き取り部１６とを備えている。巻き取り部１６には、カセットテープＣ０を保持する保持部１７が設けられている。テープ巻き取り装置１０において、切替え部１３、テンション制御部１４、接合部１５、及び、巻き取り部１６は公知のものを用いることができる。特に、接合部１５、及び、巻き取り部１６は、製造する磁気テープカセットに適合するものを用いることができる。
【００１３】
本実施形態において、図１に示すように、カセットテープＣ０に収容保持されたテープリールＲ０に磁気テープを巻き取る構成としたが、カセットテープＣ０に収容されていない、つまり、後の組み立て工程でカセットケースに組み込まれるテープリールに磁気テープを巻き取る構成とすることができる。このとき、保持部１７がテープリールを保持できるように構成されている。
【００１４】
本実施形態のテープ巻き取り装置１０は、テープ供給側ユニット１１Ａと巻き取り側ユニット１１Ｂとを組み合せてなる本体１１を備えている。
【００１５】
テープ供給側ユニット１１Ａには、テープ供給部１２ａ，１２ｂと、切替え部１３と、テンション制御部１４とが設けられ、各部の間には磁気テープＴを半双方にそって搬送するための搬送機構が設けられている。
【００１６】
また、巻き取り側ユニット１１Ｂには、接合部１５と、巻き取り部１６とが設けられている。テンション制御部１４は、テープ供給側ユニット１１Ａに設けてもよいが、巻き取り側ユニット１１Ｂに設けてもよい。
【００１７】
テープ巻き取り装置１０は、図１で一点鎖線で示す分割線Ｌを境に、テープ供給側ユニット１１Ａと巻き取り側ユニット１１Ｂとに分離することができ、かつ、分離させた巻き取り側ユニット１１Ｂをテープ供給側ユニット１１Ａに装着することができる構成である。
【００１８】
テープ供給側ユニット１１Ａにおける磁気テープＴの最も下流側には、巻き取り側ユニット１１Ｂへ磁気テープＴを送り出す第１の搬送接続部１８ａが設けられ、巻き取り側ユニット１１Ｂにおける磁気テープＴの最も上流側には、テープ供給側ユニット１１Ａから搬送された磁気テープＴを該巻き取り側ユニット１１Ｂの内部の搬送機構へ引き込む第２の搬送接続部１８ｂが設けられている。
【００１９】
テープ巻き取り装置１０は、テープ供給側ユニット１１Ａと巻き取り側ユニット１１Ｂとを装着させる際に、この第１の搬送接続部１８ａと第２の搬送接続部１８ｂとが係合することで磁気テープＴの搬送系路が確立される。テープ巻き取り装置１０において、テープ供給側ユニット１１Ａと巻き取り側ユニット１１Ｂとが着脱可能な構成となるように実現することができる。
【００２０】
一般的に、テープ巻き取り装置１０は、接合部１５や保持部１６が磁気テープカセットの品種や型に適合したものであることが必要である。
一方で、テープ供給部１２ａ，１２ｂや切替え部１３といった構成部材は、磁気テープカセットの品種や型に係わらず共通するものを用いることができる。
【００２１】
そこで、本発明にかかるテープ巻き取り装置１０は、テープ供給側ユニット１１Ａにテープ供給部１２ａ，１２ｂを設け、供給側ユニット１１Ｂに接合部１５と、テープリール又は該テープリールを収納したカセットケースの保持部１７とを設けた構成としている。また、テープ巻き取り装置１０は巻き取り側ユニット１１Ｂと供給側ユニット１１Ａとが着脱可能な構成としている。このため、品種や型の異なる磁気テープカセットの巻き取り工程を行う際には、巻き取りする磁気テープカセットの品種や型に適した接合部１５及び保持部１６を備えた巻き取り側ユニット１１Ｂを供給側ユニット１１Ａに装着することで、磁気テープカセットの品種や型にかかわらず該供給側ユニット１１Ａを使用することができる。
【００２２】
次に、図２を参照して、本発明にかかる巻き取り装置の実施例を説明する。
図２は、図１に示す巻き取り装置１０の供給側ユニット１１Ａと巻き取り側ユニット１１Ｂとを分離した状態を示している。供給側ユニット１１Ａには、巻き取り側ユニットＢと同様に、該供給側ユニット１１Ａに着脱可能に構成された別の巻き取り側ユニット１１Ｃを装着させることができる。
【００２３】
巻き取り側ユニット１１Ｃは、カセットケースに収納される前のテープリールＲ１に巻き取り工程を行うもの（図５参照）であり、巻き取り時にテープリールＲ１を保持する保持部２７を備えている。また、巻き取り側ユニット１１Ｃは、巻き取り側ユニット１１Ａの接合部１５とは端止めの仕方が異なる接合部２５を備えている。
【００２４】
使用者は、製造する磁気テープカセットの品種や型に応じて巻き取り側ユニット１１Ｂ、又は、巻き取り側ユニット１１Ｃを選択して供給側ユニット１１Ａに装着することで磁気テープＴの巻き取り工程を行うことができる。ここで、本実施例のように、巻き取り側ユニット１１Ｂ、巻き取り側ユニット１１Ｃだけでなく、例えば、カセットケースに収納されたテープリールに磁気テープを巻き取る構成であり、巻き取り側ユニット１１Ｂの接合部とは異なる接合部を備えた他の巻き取り側ユニットを装着して、製造される磁気テープカセットの品種や型に適合するように巻き取り工程を行うこともできる。
【００２５】
従って、本発明にかかるテープ巻き取り装置は、磁気テープカセットの品種や型の改良に起因して接合部や保持部の変更があった場合に、該磁気テープカセットに適した巻き取り側ユニットのみを用意すればよく、同じ供給側ユニットを使用することができるため、設備コストを削減することができる。
【図面の簡単な説明】
【００２６】
【図１】本発明にかかるテープ巻き取り装置の一実施形態を示す図である。
【図２】巻き取り装置の実施例を説明する図である。
【図３】従来の巻き取り装置を説明する図である。
【図４】巻き取り工程の一例を説明する図である。
【図５】巻き取り工程の他の例を説明する図である。
【符号の説明】
【００２７】
１０    テープ巻き取り装置
１１Ａ    テープ供給側ユニット
１１Ｂ，１１Ｃ    巻き取り側ユニット
１２ａ，１２ｂ    テープ供給部
１５    接合部
１６    巻き取り部
Ｔ      磁気テープ
【図１】
2005228435.tif 000003
【図２】
2005228435.tif 000004
【図３】
2005228435.tif 000005
【図４】
2005228435.tif 000006
【図５】
2005228435.tif 000007